(57)【要約】      （修正有）【課題】着脱操作が容易であり、且つ繰り返し使用しても破損し難く、且つ使用中には携帯電話機に密着し、ずれ難い携帯電話機用装飾具を提供する。【解決手段】携帯電話機用装飾具１０は、装飾部材１１と、透明な合成樹脂シートから形成された帯体１３から成る固定部材１２とからなる。上記固定部材は所定の幅寸法を有する帯体１３であり、端部１３ａ、１３ｂとが互いに接合可能に形成され、対向端部に夫々面ファスナー１５ａ、１５ｂを配設する。上記帯体を上記携帯電話機の外周に巻装することによって装飾部材１１を装着しうる構成とする。【選択図】図１
0003151934.tif 000002
【実用新案登録請求の範囲】
【請求項１】
携帯電話機に装着する装飾具であって、
装飾部材と、上記装着部材と接合された固定部材とからなり、
上記固定部材は所定の幅寸法を有する帯体であり、上記帯体を上記携帯電話機の外周に巻装することによって装着しうることを特徴とする携帯電話機用装飾具。
【請求項２】
上記帯体は透明な合成樹脂シートから形成されていることを特徴とする請求項１記載の携帯電話機用装飾具。
【請求項３】
上記帯体は端部が互いに接合可能に形成され、対向端部には夫々面ファスナーが配設されていることを特徴とする請求項1又は２いずれか1項に記載の携帯電話機用装飾具。
【請求項４】
上記帯体は、両端部が接合されると共に、上記携帯電話機に装着した状態において、液晶画面上に配置される部分は透明な合成樹脂からなる帯片部から形成されると共に、携帯電話機の裏面側に配置される部分は伸縮性を有する布材からなる帯片部から形成されることを特徴とする請求項１記載の携帯電話機用装飾具。
【考案の詳細な説明】
【技術分野】
【０００１】
本考案は、携帯電話機に着脱可能に装着しうる、携帯電話機用装飾具に関する。
【背景技術】
【０００２】
昨今において、携帯電話機は広く普及し、ほぼ一人一台の所有となっている。
携帯電話機自体も多くのメーカーから様々な型式のものが販売されているものの、デザインが共通してものが多く、個人の所有物としての特色を出すまでには至っていない。
携帯電話機を装飾する手段としては、携帯電話機の本体に、色彩が異なるビーズ、又はシール等を貼付して行う方法がある。
しかしながら、シールの場合は一度貼付すると剥がし難く多彩な装飾を行い難い。また、着色ビーズを貼付する方法は、多彩なパタンの装飾が可能であるが、全体を美感良く仕上げるためには一定の技術、技能が必要であり、個人が簡単に実施できるものではなく、有料で専門の職人に装飾を施してもらう必要があり、割高感が否めないという不具合を有していた。
上記不具合を解決するために、図６（ａ）及び（ｂ）に示すように、アクセサリー本体３１に、透明で伸縮性を有するポリウレタン製の２本の糸材３２ａ、３２ｂの両端を固定し、上記糸材３２ａ，３２ｂを携帯電話機３３の本体に巻き回して装着する携帯電話機用装飾具３０が提案されているものが提案されている。
上記携帯電話機用装飾具３０は、貼付式の装飾具と比較して着脱が容易であるが、携帯電話機３３から上記携帯電話機用装飾具３０を取り外す場合、上記２本の糸材３２ａ．３２ｂがねじれ易く、着脱操作が行い難くなる虞があった。
また、上記ねじれによって、糸材３２ａ、３２ｂが切れて破損し易いという不具合をも有していた。また、糸材３２ａ，３２ｂは細径であり、かつ全体が伸縮するため、上記携帯電話機３３の使用中に上記携帯電話機用装飾具３０がずれ易いという不具合をも有していた。
【０００３】
【特許文献１】実登３１０４５５０号
【考案の開示】
【考案が解決しようとする課題】
【０００４】
本考案の課題は、着脱操作が容易であり、且つ繰り返し使用しても破損し難く、且つ使用中には携帯電話機に密着し、ずれ難い携帯電話機用装飾具を提供することにある。
【課題を解決するための手段】
【０００５】
上記課題を解決するために、請求項１に記載の考案は、装飾部材と、上記装着部材と接合された固定部材とからなり、上記固定部材は所定の幅寸法を有する帯体であり、上記帯体を上記携帯電話機の外周に巻装することによって装着しうることを特徴とする。
固定部材が帯体であるため、着脱操作時に於いてもねじれ難く、帯体が携帯電話機に密着するため、携帯電話機を使用している際にも装飾具が動き難い。
【０００６】
また、請求項２に記載の考案は、上記帯体は透明な合成樹脂シートから形成されていることを特徴とする。
従って、携帯電話機の液晶画面上に上記帯体が巻装された場合であっても、上記帯体を介して液晶表示を視認しうる。
【０００７】
また、請求項３に記載の考案は、上記帯体は端部が互いに接合可能に形成され、対向端部には夫々面ファスナーが配設されていることを特徴とする。
従って、上記帯体が携帯電話機に密着した場合であっても、上記面ファスナーを外すことによって上記帯体を上下にずらすことなく取り外すことができる。
【０００８】
また、請求項４に記載の考案は、上記帯体は、両端部が接合されると共に、上記携帯電話機に装着した状態において、液晶画面上に配置される部分は透明な合成樹脂からなる帯片部から形成されると共に、携帯電話機の裏面側に配置される部分は伸縮性を有する布材からなる帯片部から形成されることを特徴とする。
従って、携帯電話機の液晶画面上に上記帯体が巻装された場合であっても、上記帯体を介して液晶表示を視認可能である。
また、上記帯体の両端部が接合されていることから、上記携帯電話機用装飾具は、上記布材の帯片部を伸張させ、上記帯体に上記携帯電話機を抜き差しすることによって着脱することが可能となる。
【考案の効果】
【０００９】
請求項１記載の考案にあっては、装飾部材と、上記装着部材と接合された固定部材とからなり、上記固定部材は所定の幅寸法を有する帯体であり、上記帯体を上記携帯電話機の外周に巻装することによって装着しうることから、固定部材がねじれ難く着脱操作が容易であり、また、繰り返し使用しても破損し難く、且つ使用中には携帯電話機に密着し、ずれ難い携帯電話機用装飾具を提供することにある。
特に請求項２記載の考案にあっては、帯体が透明な合成樹脂シートから形成されているため、上記帯体が携帯電話機の液晶画面上に配置された場合であっても、表示内容の視認の妨げとなりにくく、装着時の外観品質が高い。
【００１０】
また、請求項３記載の考案にあっては、上記帯体は端部が互いに接合可能に形成され、対向端部には夫々面ファスナーが配設されていることから、上記帯体が携帯電話機に密着した場合であっても、上記面ファスナーを外すことによって、着脱しうるため、請求項１の効果に加え、更に簡易に着脱操作が可能となる。
【００１１】
また、請求項４記載の考案にあっては、上記帯体は、携帯電話機に装着した状態において、液晶画面上に配置される部分は透明な合成樹脂からなる帯片部から形成されると共に、携帯電話機の裏面側に配置される部分は伸縮性を有する布材からなる帯片部から形成されることから、請求項１の効果に加え、着脱操作は、上記布材の帯体部を伸張させ、上記携帯電話機を抜き差しすることで可能であるため、片手のみであっても着脱操作が可能となる。
【図面の簡単な説明】
【００１２】
【図１】本考案の一実施の形態を示し、実施例の形態において、携帯電話機用装飾具の帯体の端部と接合し、リング状とした状態の全体斜視図である。
【図２】本考案の一実施の形態を示し、実施例の形態において、携帯電話機用装飾具の帯体の端部と接合の接合を外した状態の全体斜視図である。
【図３】本考案の一実施の形態を示し、実施例の形態及び他の実施例の形態における携帯電話機用装飾具を携帯電話機に装着した状態を示す斜視図である。
【図４】本考案の一実施の形態を示し、実施例の形態及び他の実施例の形態における携帯電話機用装飾具を携帯電話機に装着した状態を示す側面図である。
【図５】本考案の他の実施例の形態を示す携帯電話機用装飾具の全体斜視図である。
【図６】従来の携帯電話機用装飾具を携帯電話機に装着した状態を示し、(a)は全体斜視図及び、（ｂ）は装着後に携帯電話機を折畳んだ状態の平面図である。
【考案を実施するための最良の形態】
【００１３】
本考案を実施するための形態について、図面を用いて説明する。
図１に示すように本実施例に係る携帯電話機用装飾具１０は、装飾部材１１と、透明な合成樹脂シートから形成された帯体１３からなる固定部材１２とからなり、図４に示すように、上記帯体１３を上記携帯電話機１４（図1には図示せず）の外周に巻装することによって装着される。
また、上記帯体１３は端部１３ａと１３ｂとが互いに接合可能に形成され、対向端部には夫々面ファスナー１５ａ、１５ｂが配設されている。
【００１４】
上記実施例の詳細について以下図面を用いて詳述する。
図１は、本実施例に係る携帯電話機用装飾具１０において。帯体１３の面ファ
スナー１５ａ、１５ｂを閉止した状態を示す全体斜視図であり、図２は携帯電話機用装飾具１０の帯体１３の面ファスナー１５ａ、１５ｂを開放した状態を示す全体斜視図である。図１、図２に示すように、上記携帯電話機用装飾具１０の固定部材１２を形成している帯体１３の原材料となる合成樹脂シートは、透明性及び柔軟性を確保できるものであれば特に素材を問わず、塩化ビニル、ポリオレフィン、ポリエチレン、ポリプロピレン、シリコンゴム、ウレタンゴム、ＥＶＡ（エチレン酢酸ビニル樹脂）等から適宜選択することが可能である。
また、上記帯体１３は、折畳み式携帯電話機１４（図１には図示せず）に巻装可能な長さ寸法に形成され、多くの機種に対応可能な１３０ｍｍ〜１４０ｍｍ程度とすることが望ましい。
また、装着対象の折畳み式携帯電話機１４の機種毎の寸法変化に対応するため、上記面ファスナー１５ａ、１５ｂは上記帯体１３の締め付け強度を調整しうるために、上記帯体１３の両端部１３ａ、１３ｂから２０ｍｍ〜３０ｍｍ程度の長さ寸法に亘って配設されている。
また、上記帯体１３の幅寸法は、着脱時のねじれを防止しうるため、１０ｍｍ〜２０ｍｍ程度とすることが望ましい。
【００１５】
上記構成の作用について説明する。図３は上記構成の携帯電話機用装飾具１０を折畳み式携帯電話機１４に装着した状態を示す全体斜視図であり、図４は上記構成の携帯電話機用装飾具１０を折畳み式の携帯電話機１４に装着した状態を示す側面図である。
本実施例に係る携帯電話機用装飾具１０を折畳み式携帯電話機１４に装着する場合は、図２に示すように、帯体１３の面ファスナー１５ａ，１５ｂを開放し、図３及び図４に示すように、装飾部材１１を上記折畳み式携帯電話機１４の液晶画面側半部１４ａの背面側１７に配置し、上記装飾部材１１を指等によって固定した上で、上記折畳み式携帯電話機１４の液晶画面側半部１４ａの任意の位置において上記帯体１３を巻装し、上記液晶画面側半部１４ａの背面側１７において、図２に示すように上記帯体１３の両端部１３ａ，１３ｂの面ファスナー１５ａ，１５ｂを閉止する。
図３に示すように、上記帯体１３が透明であることから、液晶画面１６上に上記帯体１３が配置された場合であっても、液晶表示の視認の妨げとなり難い。
また合成樹脂で形成されていることから、上記帯体雄１３が上記液晶画面１６の表面に密着するため、装着時に上記帯体１３が目立たず、外観品質が高くなる。
また、図３及び図４に示すように、固定部材１２が所定の幅寸法を有する帯体１３で形成されているため、折畳み式携帯電話機１４の使用中に、装飾部材１１に触れた場合であっても、上記帯体１３にねじれ又はずれが生じ難く、かつ糸材と比較して丈夫であり切れ難いという利点を有する。
また、図２に示すように、上記面ファスナー１５ａ、１５ｂを剥離して上記帯体１３の端部を開放することによって、容易に取り外すことが可能である。
以上のように、本実施例の構成によれば、着脱操作が容易であり、また装着時においても液晶画面の視認の妨げとならず、また装着時の外観品質が高く、且つ耐久性が高い携帯電話機用装飾具を提供することが可能である。
【００１６】
また、図５に示すように、本考案にかかる携帯電話機用装飾具２０は、固定部材２２の帯体２３を、塩化ビニル、ポリオレフィン、ポリエチレン、ポリプロピレン、シリコンゴム、ウレタンゴム、ＥＶＡ（エチレン酢酸ビニル樹脂）等から適宜選択された透明な合成樹脂の帯片部２３ａと、ナイロン、ポリエステル、ポリウレタン、天然ゴム、エステル等の繊維、又は上記各繊維から適宜選択された混合繊維からなり、伸縮性を有する布材の帯片部２３ｂとを逢着等の手段によって接合して形成することも可能である。
図３示すように、上記構成の携帯電話機用装飾具２０を折畳み式携帯電話機１４に装着する場合、図５に示すように、上記帯片部２３ｂを伸張し、図３に示すように上記装飾部材２１が折畳み式携帯電話機１４の液晶画面側半部１４ａの背面側１７に配置した上で、上記液晶画面側半部１４ａを上記帯体２３に挿入する。
また、上記携帯電話機用装飾具２０を取り外す場合は、図５に示すように、上記帯片部２３ｂを伸張させた上で、図３に示すように、上記帯体２３から上記携帯電話機１４の上記液晶画面側半部１４ａを抜き取る。
本実施例の構成によれば、装着時においても、携帯電話機１４の液晶画面１６の視認性を確保されると共に、上記帯体２３に指等を挿入して上記帯片部２３ｂを伸張させることによって上記帯体２３を拡開し、上記帯体２３に携帯電話機１４の液晶画面側半部１
４ａを抜き差しすること着脱操作が可能であるため、装着時に装飾部材２１を指等で固定する必要が無く、片手のみであっても着脱操作を行うことができる。
【００１７】
なお、上記各実施例は、装着対象を折畳み式携帯電話機としたが、ストレート形、スライド型の携帯電話機、または室内電話機とその子機等に対しても装着することが可能である。
また、装飾部材１１の形状等は、装着時に携帯電話機の使用の妨げとならない範囲で自由にデザインを変更することが可能である。
【産業上の利用可能性】
【００１８】
本考案は、携帯電話機に着脱可能に装着しうる、携帯電話機用装飾具に適用可能である。
【符号の説明】
【００１９】
１０  携帯電話機用装飾具
１１  装飾部材
１２  固定部材
１３  帯体
１３ａ帯体端部
１３ｂ帯体端部
１４  折畳み式携帯電話機
１４  折畳み式携帯電話機の液晶画面側半部
１５ａ面ファスナー
１５ｂ面ファスナー
１６  携帯電話機の液晶画面
１７  折畳み式携帯電話機の液晶画面側半部の背面側  
２０  携帯電話機用装飾具
２１  装飾部材
２２  固定部材  
２３  帯体
３０  携帯電話機用装飾具
３１  アクセサリー本体
３２ａ糸材
３２ｂ糸材
３３  携帯電話機
【図１】
0003151934.tif 000003
【図２】
0003151934.tif 000004
【図３】
0003151934.tif 000005
【図４】
0003151934.tif 000006
【図５】
0003151934.tif 000007
【図６】
0003151934.tif 000008